(57)【要約】【課題】レフィル容器に繰り返し使用可能なキャップを装着した状態で流通させることができる容器用キャップ及び容器本体を提案する。【解決手段】本開示に係る容器用キャップ１は、フランジ部１１において周方向に間欠的に径方向の突出部１１ａが設けられた容器本体１０に装着される容器用キャップ１であって、フランジ部１１を保持する保持部材２０と、保持部材２０に装着される蓋体５０とを備え、保持部材２０は、下方向からの突出部１１ａの受け入れ及び下方向への突出部１１ａの離脱を可能にするアンロック空間２３と、アンロック空間２３に対して周方向の一方に配置され、突出部１１ａの上下方向への変位を規制するロック空間２４とを有する保持空間を備えたリング状の本体部２１を有し、本体部２１は、フランジ部１１の上面に対向する上板を備え、上板の下面には、フランジ部１１の上面に当接して上端開口を径方向にシールするシール凸部２７ａが設けられることを特徴とする。【選択図】図１
2020183248.tif 000002
【特許請求の範囲】
【請求項１】
筒状の周壁と該周壁の下端部を閉塞する底壁と、該周壁の上端部から径方向外側に延びるフランジ部とを有する容器本体であって、該フランジ部には周方向に間欠的に形成されると共に径方向外側に突出する突出部が設けられた該容器本体に装着される容器用キャップであって、
前記フランジ部を保持する保持部材と、
該保持部材に装着され、前記容器本体の上端開口を閉塞する蓋体と
を備え、
前記保持部材は、前記突出部を保持可能な保持空間であって、下方向からの該突出部の受け入れ及び下方向への該突出部の離脱を可能にするアンロック空間と、該アンロック空間に対して周方向の一方に配置され、該突出部の上下方向への変位を規制するロック空間とを有する該保持空間を備えたリング状の本体部を有し、
該本体部は、前記フランジ部の上面に対向する上板を備え、該上板の下面には、該フランジ部の上面に当接して前記上端開口を径方向にシールするシール凸部が設けられていることを特徴とする容器用キャップ。
【請求項２】
前記保持部材は、前記アンロック空間と前記ロック空間との境界部に選択的に配置される係止部を有する、請求項１に記載の容器用キャップ。
【請求項３】
前記係止部は、前記本体部に対して上下方向に移動可能に弾性支持され、前記アンロック空間側から前記ロック空間側に向かって高さが漸増するテーパ形状を有する、請求項２に記載の容器用キャップ。
【請求項４】
前記係止部は、前記本体部にヒンジ部を介して連結された操作部上に配置され、該ヒンジ部において該操作部を折り返すことで前記境界部に配置される移動規制部材である、請求項２に記載の容器用キャップ。
【請求項５】
前記上板は、該上板に立設されたシール壁を有し、該シール壁が前記蓋体に嵌合することで前記上端開口を径方向にシールする、請求項１から４のいずれか一項に記載の容器用キャップ。
【請求項６】
請求項１から５のいずれか一項に記載の容器用キャップを装着する容器本体であって、
前記上端開口が前記フランジ部に取り付けられたシール材によって開封可能に閉塞されている、容器本体。
【発明の詳細な説明】
【技術分野】
【０００１】
本開示は、容器本体に装着可能な容器用キャップ及び容器本体に関する。
【背景技術】
【０００２】
省資源化の観点から、内容物が充填されるレフィル容器を、繰り返し用いることが可能な本体容器及び本体蓋体に収容することが可能な詰替容器が提案されている（例えば、特許文献１）。
【先行技術文献】
【特許文献】
【０００３】
【特許文献１】特開２０１８−１４０８３３号公報
【発明の概要】
【発明が解決しようとする課題】
【０００４】
ところで、上述のような詰替容器では、レフィル容器に対して上部開口を閉塞するために一時使用の蓋体を装着して流通させるため、レフィル容器を、繰り返し用いることが可能な本体容器及び本体蓋体に収容した状態で流通させることができなかった。
【０００５】
本開示は、このような問題点を解決することを課題とするものであり、その目的は、レフィル容器に繰り返し使用可能なキャップを装着した状態で流通させることができる容器用キャップ及び容器本体を提案することである。
【課題を解決するための手段】
【０００６】
本開示の容器用キャップは、
筒状の周壁と該周壁の下端部を閉塞する底壁と、該周壁の上端部から径方向外側に延びるフランジ部とを有する容器本体であって、該フランジ部には周方向に間欠的に形成されると共に径方向外側に突出する突出部が設けられた該容器本体に装着される容器用キャップであって、
前記フランジ部を保持する保持部材と、
該保持部材に装着され、前記容器本体の上端開口を閉塞する蓋体と
を備え、
前記保持部材は、前記突出部を保持可能な保持空間であって、下方向からの該突出部の受け入れ及び下方向への該突出部の離脱を可能にするアンロック空間と、該アンロック空間に対して周方向の一方に配置され、該突出部の上下方向への変位を規制するロック空間とを有する該保持空間を備えたリング状の本体部を有し、
該本体部は、前記フランジ部の上面に対向する上板を備え、該上板の下面には、該フランジ部の上面に当接して前記上端開口を径方向にシールするシール凸部が設けられていることを特徴とする。
【０００７】
また、本開示の容器用キャップは、上記構成において、前記保持部材は、前記アンロック空間と前記ロック空間との境界部に選択的に配置される係止部を有することが好ましい。
【０００８】
また、本開示の容器用キャップは、上記構成において、前記係止部は、前記本体部に対して上下方向に移動可能に弾性支持され、前記アンロック空間側から前記ロック空間側に向かって高さが漸増するテーパ形状を有することが好ましい。
【０００９】
また、本開示の容器用キャップは、上記構成において、前記係止部は、前記本体部にヒンジ部を介して連結された操作部上に配置され、該ヒンジ部において該操作部を折り返すことで前記境界部に配置される移動規制部材であることが好ましい。
【００１０】
また、本開示の容器用キャップは、上記構成において、前記上板は、該上板に立設されたシール壁を有し、該シール壁が前記蓋体に嵌合することで前記上端開口を径方向にシールすることが好ましい。
【００１１】
また、本開示の容器本体は、上記いずれかの容器用キャップを装着する容器本体であって、前記上端開口が前記フランジ部に取り付けられたシール材によって開封可能に閉塞されていることを特徴とする。
【発明の効果】
【００１２】
本開示によれば、レフィル容器に繰り返し使用可能なキャップを装着した状態で流通させることができる容器用キャップ及び容器本体を提案することができる。
【図面の簡単な説明】
【００１３】
【図１】容器本体に、本開示の第１実施形態に係る容器用キャップを装着した状態（ロック状態）を示す上面図である。
【図２】本開示の第１実施形態に係る容器用キャップが装着される容器本体の上面図である。
【図３】図１における、Ａ−Ａ断面による断面図である。
【図４Ａ】図２における、テーパ形状部（係止部）部分の拡大断面図である。
【図４Ｂ】図４Ａにおいて、テーパ形状部（係止部）を径方向外側から見た拡大図である。
【図５】図４Ａの状態からテーパ形状部を下方に移動させて、容器用キャップから容器本体を取り外し可能とした状態を示す拡大断面図である。
【図６】容器本体に、本開示の第１実施形態に係る容器用キャップを装着した状態（ロック状態）を示す下面図である。
【図７】容器本体に、本開示の第１実施形態に係る容器用キャップを装着した状態（アンロック状態）を示す下面図である。
【図８】容器本体に、本開示の第２実施形態に係る容器用キャップを装着した状態（ロック状態）を示す上面図である。
【図９】図８における、移動規制部材（係止部）部分の拡大断面図（突出部可動状態）である。
【図１０】図９において、移動規制部材（係止部）を径方向外側から見た図である。
【図１１】図９において、移動規制部材（係止部）をヒンジ部周りに回転させて突出部の移動を規制した状態を示す図である。
【発明を実施するための形態】
【００１４】
以下、図面を参照して、本開示をより具体的に説明する。
【００１５】
図１は、本開示の第１実施形態である容器用キャップ１を容器本体１０に装着した状態を示す上面図である。容器用キャップ１は、容器本体１０の周壁１５の上端部から径方向外側に延びるフランジ部１１に形成された突出部１１ａ（図２参照）を保持するリング状の保持部材２０と、保持部材２０に装着可能に構成された蓋体５０とを備えている。
【００１６】
ここで、本実施形態に係る容器用キャップ１に装着される容器本体１０について説明する。容器本体１０は、図３に示すように、内容物の収容空間Ｓを形成する筒状の周壁１５と、容器本体１０の下部を閉塞する底壁１７と、底壁１７の外周縁から下方に垂下する台座１９と、周壁１５の上端部から径方向外側に延びるフランジ部１１と、周方向に間欠的に形成されフランジ部１１から径方向外側に突出する突出部１１ａ（図２参照）とを備えている。本実施形態において、突出部１１ａは、中心軸線Ｏ周りの４か所に周方向に等間隔で設けられている。
【００１７】
また、レフィル容器としての容器本体１０は、未使用時において、図４Ａに破線で示すように、フランジ部１１の上面に薄肉の合成樹脂製のシール材１３が取り付けられている。本実施形態では、シール材１３は、熱溶着によりフランジ部１１に剥離可能に取り付けられている。このシール材１３により、未使用時の容器本体１０の上端開口１２は開封可能に閉塞されている。
【００１８】
本実施形態において、容器本体１０は、例えば、射出成形等によって形成することができる。また、射出成形に限定されず、シート成形（サーモフォーム）等の他の成形方法によって形成してもよい。容器本体１０の材料には、例えばポリプロピレン（ＰＰ）、ポリエチレン（ＰＥ）、ポリスチレン（ＰＳ）及びポリエチレンテレフタレート（ＰＥＴ）等の合成樹脂材料を用いることができる。
【００１９】
本明細書、特許請求の範囲、要約書および図面では、フランジ部１１が位置する側を上方（図３における上側）とし、底壁１７が位置する側を下方（図３における下側）とする。また、径方向外側とは、図３における容器用キャップ１の中心軸線Ｏを通り中心軸線Ｏに垂直な直線に沿って外側に向かう方向であり、径方向内側とは、当該直線に沿って中心軸線Ｏに向かう方向を意味するものとする。
【００２０】
次に、容器用キャップ１を構成する保持部材２０について説明する。保持部材２０は、図１に示すように中心軸線Ｏ周りに設けられたリング状の本体部２１と、保持部材２０に保持された突出部１１ａの移動を規制するテーパ形状部２９ａ（係止部）とを備えている。
【００２１】
本体部２１は、図１に示すように、中心軸線Ｏ周りに形成されたリング状部材であり、内部に突出部１１ａを保持する保持空間２２を備えている。保持空間２２は、下方向からの突出部１１ａの受け入れ及び下方向への突出部１１ａの離脱を可能にするアンロック空間２３と、アンロック空間２３に対して周方向の一方（図１の上面視で反時計回り側）に配置され、突出部１１ａの上下方向への変位を規制するロック空間２４とを備えている。
【００２２】
アンロック空間２３は、その上方に上方向への突出部１１ａの変位を規制するアンロック上板２３ａを備えているが、下方には規制部材を備えていない。従って、図２に示す容器本体１０のフランジ部１１に形成された突出部１１ａを、アンロック空間２３の下方の開口から取り外すことができる。
【００２３】
ロック空間２４は、その上方に突出部１１ａの上方向へ変位を規制するロック上板２４ａと、その下方に、突出部１１ａの下方向への変位を規制するロック下板２４ｂとを備えている。従って、ロック空間２４内にある突出部１１ａは上下方向へに抜け出し（取り外し）が規制されているため、そのままの位置ではロック空間２４から下方に取り外すことができない。
【００２４】
本体部２１に設けられたアンロック空間２３とロック空間２４との間には、境界部２５が設けられている。そして、周方向の４か所に設けられた境界部２５のうち、図１の右端の境界部２５には、突出部１１ａの周方向の移動を規制するテーパ形状部２９ａが配置されている。
【００２５】
テーパ形状部２９ａは、図１及び図４Ａに示すように、本体部２１の外周面に一体に設けられた弾性アーム２９ｂの周方向中央部において垂下する支持板２９ｄから径方向内側に突出する移動規制部材である。テーパ形状部２９ａは、図４Ｂに示すように、アンロック空間２３側からロック空間２４側に向かって高さが漸増するテーパ形状を備えている。これによって、突出部１１ａがアンロック空間２３からロック空間２４に向かうときは、テーパ形状部２９ａにおける高さが低い側から乗り上げ、テーパ形状部２９ａを完全に乗り越えることによって、ロック空間２４内に入ることができる。他方、突出部１１ａをロック空間２４からアンロック空間２３に移動させようとすると、突出部１１ａの周方向端部がテーパ形状部２９ａにおける高さが最も高い側の側面に当接し、図１、図４Ａに示すテーパ形状部２９ａの初期位置では突出部１１ａがテーパ形状部２９ａを乗り越えることができない。
【００２６】
テーパ形状部２９ａは、上述のように弾性アーム２９ｂの周方向中央部に設けられており、図５に示すように利用者が操作部２９ｃを摘んで下方に引き下ろすことによってアンロック空間２３とロック空間２４との間の境界部２５に突出部１１ａが通過可能な通路が形成される。これによって、利用者は、後述するように、容器用キャップ１に対して容器本体１０を周方向に回動させて、突出部１１ａをロック空間２４からアンロック空間２３へと移動させることができる。なお、本実施形態において、テーパ形状部２９ａ、弾性アーム２９ｂ、操作部２９ｃ、支持板２９ｄにより構成される係止部材２９は、本体部２１と一体に形成されている。テーパ形状部２９ａは、図４Ａ、図６に示す下部ストッパ２８により下方への移動量が制限されている。
【００２７】
図１に示す保持部材２０の本体部２１において、ロック空間２４の周方向反時計回り側には、ストッパ部２６が設けられている。このストッパ部２６により、ロック空間２４に移動した突出部１１ａは、アンロック空間２３側とは反対側への変位が規制されている。
【００２８】
保持部材２０における上板（アンロック上板２３ａ等を含む、フランジ部１１の上面に対向する部位）の下面には、図４Ａに示すように、フランジ部１１の上面に当接して容器本体１０の上端開口１２を径方向にシールするシール凸部２７ａ設けられている。シール凸部２７ａは、中心軸線Ｏ周りの全周に亘って連続して設けられており、これによって、収容空間Ｓ内を密に閉塞することが可能となっている。
【００２９】
図１に示すように、保持部材２０の外周面には、ヒンジ部５８を介して蓋体５０が一体形成されている。蓋体５０は、図４Ａ等に示すように、円筒形状の周壁５２と、周壁５２の上端部を閉塞する頂壁５４と、頂壁５４の下面から垂下する環状筒壁５６とを備えている。一方、上述のフランジ部１１の上面に対向する上板には、環状のシール壁２７が立設されている。図４Ａに破線で示すように、蓋体５０が閉じられ容器本体１０の上端開口１２を閉塞すると、蓋体５０に設けられた環状筒壁５６がシール壁２７の径方向内側面に密に当接する。
【００３０】
上述の構成を有する容器用キャップ１に装着された容器本体１０を取り外して、レフィル容器である新たな容器本体１０を装着するためには、まず、利用者は、図１の状態から図５に示すように操作部２９ｃを摘んで下方に引き下ろす。これによって、アンロック空間２３とロック空間２４との間の境界部２５に突出部１１ａが通過可能な通路が形成されるため、利用者は、容器用キャップ１を把持しながら容器本体１０を図６に示す下面視で時計回りに回転させる。この回動操作によって、図６に示す突出部１１ａがロック空間２４に存在するロック状態から、図７に示す突出部１１ａがアンロック空間２３に存在するアンロック状態へと移行させることができる。
【００３１】
突出部１１ａがアンロック空間２３に移動すると、図７に示すように、突出部１１ａがアンロック空間２３において下方に露出する。利用者は、図７の状態で容器本体１０を容器用キャップ１から下方に引き離すことによって、容器本体１０を取り外すことができる。
【００３２】
なお、レフィル容器である新しい容器本体１０を容器用キャップ１に装着する場合は、まず容器本体１０の上端開口１２を閉塞しているシール材１３を剥離し、突出部１１ａの周方向位置をアンロック空間２３の位置に合致させたのち、アンロック空間２３の下部の開口から突出部１１ａをアンロック空間２３内に挿入する。次に、容器用キャップ１に対して容器本体１０を周方向に相対回転させて、突出部１１ａをロック空間２４に向けて移動させる。このときは、容器本体１０を容器用キャップ１から取り外す場合とは異なり、突出部１１ａは、最も高さが低い図４Ｂの左端部からテーパ形状部２９ａの上面を滑り、弾性支持されたテーパ形状部２９ａを徐々に下方に押し下げながらロック空間２４に到達する。従って、利用者がテーパ形状部２９ａを押し下げながら装着する必要がない。突出部１１ａが完全にロック空間２４に移動すると、テーパ形状部２９ａは弾性アーム２９ｂの復元力により速やかに元の高さまで戻る。
【００３３】
以上述べたように、本実施形態は、筒状の周壁１５と周壁１５の下端部を閉塞する底壁１７と、周壁１５の上端部から径方向外側に延びるフランジ部１１とを有する容器本体１０であって、フランジ部１１には周方向に間欠的に形成されると共に径方向外側に突出する突出部１１ａが設けられた容器本体１０に装着される容器用キャップ１であって、フランジ部１１を保持する保持部材２０と、保持部材２０に装着され、容器本体１０の上端開口１２を閉塞する蓋体５０とを備え、保持部材２０は、突出部１１ａを保持可能な保持空間２２であって、下方向からの突出部１１ａの受け入れ及び下方向への突出部１１ａの離脱を可能にするアンロック空間２３と、アンロック空間２３に対して周方向の一方に配置され、突出部１１ａの上下方向への変位を規制するロック空間２４とを有する保持空間２２を備えたリング状の本体部２１を有し、本体部２１は、フランジ部１１の上面に対向する上板を備え、上板の下面には、フランジ部１１の上面に当接して上端開口１２を径方向にシールするシール凸部２７ａが設けられるように構成した。このような構成の採用によって、容器本体１０の上端開口１２及びフランジ部１１を覆うようにシール材１３でシールした未開封状態の容器本体１０に対して容器用キャップ１をそのまま取り付けても、シール凸部２７ａがシール材１３越しにフランジ部１１を押圧する形で装着することができる。従って、レフィル容器としての容器本体１０に繰り返し用いることが可能な容器用キャップ１を装着した状態で流通させることができる。また、レフィル容器としての容器本体１０からシール材１３を取り外した後、容器用キャップ１を装着してそのまま使用することができるので、容器本体１０から別の容器に内容物を移し替える必要がない。
【００３４】
また、本実施形態では、保持部材２０は、アンロック空間２３とロック空間２４との境界部２５に選択的に配置される係止部を有するように構成した。このような構成の採用によって、係止部により突出部１１ａの周方向への移動を規制することができるので、使用中に突出部１１ａがアンロック空間２３に移動して容器用キャップ１から容器本体１０が外れてしまうのを抑制することができる。
【００３５】
また、本実施形態では、係止部は、本体部２１に対して上下方向に移動可能に弾性支持され、アンロック空間２３側からロック空間２４側に向かって高さが漸増するテーパ形状部２９ａを有するように構成した。このような構成の採用によって、容器本体１０を容器用キャップ１から取り外す際は、テーパ形状部２９ａの最も高さが高い部位に突出部１１ａが当接するため、利用者が意図的にテーパ形状部２９ａの押し下げを行わなければ突出部１１ａをアンロック空間２３に移動させることができない。一方、容器本体１０を容器用キャップ１に装着する際には、突出部１１ａがテーパ形状部２９ａを押し下げながらロック空間２４へと容易に移動することができる。従って、容器本体１０を容器用キャップ１から外れ難くすると共に装着を容易化することができる。なお、容器本体１０を装着した際に下方に押し下げられたテーパ形状部２９ａは、弾性アーム２９ｂの復元によって元の高さに戻るため、戻し（ロック）忘れを抑制することができる。
【００３６】
また、本実施形態では、上板は、上板に立設されたシール壁２７を有し、シール壁２７が蓋体５０に嵌合することで容器本体１０の上端開口１２を径方向にシールするように構成した。このような構成の採用によって、蓋体５０を閉塞した状態において、蓋体５０と保持部材２０との間を密に閉塞することができるので、内容物が蓋体５０と保持部材２０との隙間から外部に漏出するのを効果的に抑制することができる。
【００３７】
また、本実施形態は、上記いずれかに記載の容器用キャップ１を装着する容器本体１０であって、上端開口１２がフランジ部１１に取り付けられたシール材１３によって開封可能に閉塞されるように構成した。このような構成の採用によって、レフィル容器としての容器本体１０からシール材１３を取り外した後、容器用キャップ１を装着してそのまま使用することができるので、容器本体１０から別の容器に内容物を移し替える必要がない。
【００３８】
次に、図８から図１１を参照しつつ、本開示の第２実施形態である容器用キャップ１０１について説明する。なお、本実施形態に係る容器用キャップ１０１は、第１実施形態と比較して、係止部の構成が、テーパ形状部２９ａから、ヒンジ部１２９ｈを介して本体部２１に連結された円柱状の移動規制部材１２９ａへと変更された他は、第１実施形態の構成と近似している。従って、ここでは、第１実施形態との差異点を中心に説明する。また、第１実施形態と同一の機能を有する部位には同一の符号を付して説明する。
【００３９】
保持部材２０は、図８及び図９に示すように中心軸線Ｏ周りに設けられたリング状の本体部２１と、保持部材２０に保持された突出部１１ａの移動を規制する円柱状の移動規制部材１２９ａ（係止部）とを備えている。
【００４０】
移動規制部材１２９ａは、周方向の４か所に設けられた境界部２５のうち、図８の右端の境界部２５に配置されており、突出部１１ａの周方向の移動を規制している。
【００４１】
移動規制部材１２９ａは、図９及び図１０に示すように、本体部２１の外周面にヒンジ部１２９ｈを介して一体に設けられた操作部１２９ｄの下面から下方に突出して形成された円柱状の部位である。また、操作部１２９ｄにおけるヒンジ部１２９ｈ近傍には、利用者が操作部１２９ｄを操作するための摘み部１２９ｃが操作部１２９ｄに立設されている。
【００４２】
利用者は、突出部１１ａをアンロック空間２３の下部の開口からアンロック空間２３内に導いた後、容器用キャップ１０１に対して容器本体１０を周方向に相対回転させて、突出部１１ａをロック空間２４内に導く。突出部１１ａをロック空間２４内に導いた後、利用者は、図９に示す移動規制部材１２９ａを操作部１２９ｄごとヒンジ部１２９ｈ周りに略１８０度回転させ、図１１に示すように移動規制部材１２９ａを境界部２５の境界下板２５ｂに設けられた嵌合孔１２５ｃに嵌合させる。
【００４３】
図９に示すように、移動規制部材１２９ａの外周面には、嵌合孔１２５ｃ内面の段部に係合する突部が設けられている。そして、図１１に示すように、移動規制部材１２９ａに設けられた突部が嵌合孔１２５ｃの段部にアンダーカット係合することで、移動規制部材１２９ａは抜け止めされた状態で境界部２５内に配置される。
【００４４】
このように、移動規制部材１２９ａがアンロック空間２３とロック空間２４との間の境界部２５内に配置されることで、ロック空間２４内の突出部１１ａが利用者の意図に反してアンロック空間２３側に移動し、容器本体１０が容器用キャップ１０１から外れてしまうのを抑制することができる。
【００４５】
以上述べたように、本実施形態では、係止部は、本体部２１にヒンジ部１２９ｈを介して連結された操作部１２９ｄ上に配置され、ヒンジ部１２９ｈにおいて操作部１２９ｄを折り返すことで境界部２５に配置される移動規制部材１２９ａとして構成した。このような構成の採用によって、第１実施形態のようにロック状態からアンロック状態に移行する際にテーパ形状部２９ａを押し下げる必要がないので、先に移動規制部材１２９ａによるロックを解除しておく（図１１の状態から図９の状態に移行しておく）ことによって、片手で容器用キャップ１０１から容器本体１０を取り外すことが可能になる。
【００４６】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００４７】
例えば、第１及び第２実施形態では、保持部材２０は、アンロック空間２３とロック空間２４との境界部２５に選択的に配置される係止部を有するように構成したが、この態様には限定されず、係止部を設けない構成としてもよい。また例えば、係止部に代えて、突出部１１ａがロック空間２４内で係合する係合部を設けるようにしてもよい。
【００４８】
また、第１及び第２実施形態では、上板は、上板に立設されたシール壁２７を有し、シール壁２７が蓋体５０に嵌合することで上端開口１２を径方向にシールするように構成したが、この態様には限定されず、シール壁２７を設けない構成としてもよい。また、シール壁２７に代えて上板上にシール用の環状突部を設けるようにしてもよい。
【産業上の利用可能性】
【００４９】
本開示によれば、レフィル容器に繰り返し使用可能なキャップを装着した状態で流通させることが可能な容器用キャップを提案することができる。
【符号の説明】
【００５０】
１        容器用キャップ
１０      容器本体
１１      フランジ部
１１ａ    突出部
１２      上端開口
１３      シール材
１５      周壁
１７      底壁
１９      台座
２０      保持部材
２１      本体部
２２      保持空間
２３      アンロック空間
２３ａ    アンロック上板
２４      ロック空間
２４ａ    ロック上板
２４ｂ    ロック下板
２５      境界部
２５ｂ    境界下板
２６      ストッパ部
２７      シール壁
２７ａ    シール凸部
２８      下部ストッパ
２９      係止部材
２９ａ    テーパ形状部（係止部）
２９ｂ    弾性アーム
２９ｃ    操作部
２９ｄ    支持板
５０      蓋体
５２      周壁
５４      頂壁
５６      環状筒壁
５８      ヒンジ部
１０１    容器用キャップ
１２５ｃ  嵌合孔
１２９ａ  移動規制部材（係止部）
１２９ｃ  摘み部
１２９ｄ  操作部
１２９ｈ  ヒンジ部
Ｏ        中心軸線
Ｓ        収容空間
【図１】
2020183248.tif 000003
【図２】
2020183248.tif 000004
【図３】
2020183248.tif 000005
【図４Ａ】
2020183248.tif 000006
【図４Ｂ】
2020183248.tif 000007
【図５】
2020183248.tif 000008
【図６】
2020183248.tif 000009
【図７】
2020183248.tif 000010
【図８】
2020183248.tif 000011
【図９】
2020183248.tif 000012
【図１０】
2020183248.tif 000013
【図１１】
2020183248.tif 000014